【手続補正書】
【提出日】平成19年8月17日(2007.8.17)
【手続補正１】
【補正対象書類名】特許請求の範囲
【補正対象項目名】全文
【補正方法】変更
【補正の内容】
【特許請求の範囲】
【請求項１】
不特定の通信局が参入する無線通信システムであって、
各通信局は、
自局又は自局が認識する周辺局に固有の情報から設定されるシーケンスの一部を含んだ報知信号を所定のタイミングで送信するとともに、
隣接局から受信した報知信号に含まれるシーケンスの一部を自局又は自局が認識する周辺局に固有の情報から設定されるシーケンスと比較し、自局又は自局が認識する周辺局を当該隣接局が認識しているか否かを判断する、
ことを特徴とする無線通信システム。
【請求項２】
各通信局は通信局に固有の情報としてのアドレス情報に基づいて所定ビット長のシーケンス列を生成し、シーケンス値を先頭から１ビットずつ取り出し、そのビット値をビット位置に関する情報とともに順番に報知信号に載せて伝送し、
報知信号を受信した通信局では、通信局固有の情報から同様の手順でシーケンス値を生成し、順次受信する各報知信号で示されているビット位置のビット値と１ビットずつ比較していくことで、互いに認識している通信局が一致しているかどうかを判定する、
ことを特徴とする請求項１に記載の無線通信システム。
【請求項３】
不特定の通信局が参入する通信環境下で、各通信局が帯域の予約利用を行なう無線通信システムであって、
各通信局は、自局及び周辺局の帯域の予約状況を収集し、各通信局が予約する帯域の情報と、各帯域を予約した通信局に固有の情報から設定されるシーケンスの一部を含んだ報知信号を所定のタイミングで送信する、
ことを特徴とする無線通信システム。
【請求項４】
不特定の通信局が参入する通信環境下で通信動作する無線通信装置であって、
伝送路上で無線信号を送受信する通信手段と、
前記通信手段による通信動作を制御する通信制御手段と、
自局に固有の情報から設定されるシーケンスの一部を含んだ報知信号を生成する報知信号生成手段とを備え、
報知信号を所定の周期で送信する、
ことを特徴とする無線通信装置。
【請求項５】
前記報知信号生成手段は、報知信号を受信して認識した近隣局に固有の情報から設定されるシーケンスの一部を報知信号に含め、
他局から受信した報知信号を解析する報知信号解析手段と、
報知信号に含まれるシーケンスの一部に基づいて該報知信号の送信局を認識する近隣局特定手段とをさらに備える、
ことを特徴とする請求項４に記載の無線通信装置。
【請求項６】
前記近隣局特定手段は、隣接局から受信した報知信号に含まれるシーケンスの一部を自局又は自局が認識する周辺局に固有の情報から設定されるシーケンスと比較し、自局又は自局が認識する周辺局を当該隣接局が認識しているか否かを判断する、
ことを特徴とする請求項５に記載の無線通信装置。
【請求項７】
前記報知信号生成手段は、通信局に固有の情報としてのアドレス情報に基づいて所定ビット長のシーケンス列を生成し、シーケンス値を先頭から１ビットずつ取り出し、そのビット値をビット位置に関する情報とともに順番に報知信号に載せ、
前記近隣局特定手段は、通信局固有の情報から同様の手順でシーケンス値を生成し、順次受信する各報知信号で示されているビット位置のビット値と１ビットずつ比較していくことで、互いに認識している通信局が一致しているかどうかを判定する、
ことを特徴とする請求項６に記載の無線通信装置。
【請求項８】
隣接局が自局を認識していないと判断された場合には、前記通信制御手段は、自局の報知信号の送信タイミングを変更する、
ことを特徴とする請求項６に記載の無線通信装置。
【請求項９】
隣接局が自局の認識局を認識していないと判断された場合には、前記通信制御手段は、当該認識局に対し報知信号の送信タイミングの変更を要求する、
ことを特徴とする請求項６に記載の無線通信装置。
【請求項１０】
前記通信制御手段は、自局の認識局と隣接局の認識局との所定の優劣判定を行ない、自局の認識局が劣ると判定された場合には、当該認識局に対し報知信号の送信タイミングの変更を要求する、
ことを特徴とする請求項９に記載の無線通信装置。
【請求項１１】
前記通信制御手段は、優劣判定の対象となる各通信局に関するシーケンスの一部の値に比較に基づいて優劣判定を行なう、
ことを特徴とする請求項１０に記載の無線通信装置。
【請求項１２】
不特定の通信局が参入する通信環境下で、各通信局が帯域の予約利用を行なう無線通信装置であって、
伝送路上で無線信号を送受信する通信手段と、
前記通信手段による通信動作を制御する通信制御手段と、
自局が予約する帯域の情報と、自局に固有の情報から設定されるシーケンスの一部を含んだ報知信号を生成する報知信号生成手段とを備え、
報知信号を所定の周期で送信する、
ことを特徴とする無線通信装置。
【請求項１３】
前記報知信号生成手段は、自局及び周辺局の帯域の予約状況を収集し、各通信局が予約する帯域の情報と、各帯域を予約した通信局に固有の情報から設定されるシーケンスの一部を報知信号に含め、
他局から受信した報知信号を解析する報知信号解析手段と、
報知信号に含まれるシーケンスの一部に基づいて該報知信号の送信局において予約した帯域を認識する近隣局予約情報特定手段とをさらに備える、
ことを特徴とする請求項１２に記載の無線通信装置。
【請求項１４】
前記近隣局予約情報特定手段は、隣接局から受信した報知信号に基づいて予約帯域の重複を検出し、
前記通信制御手段は、必要に応じて自局又は周辺局の予約帯域の変更を行なう、
ことを特徴とする請求項１３に記載の無線通信装置。
【請求項１５】
前記近隣局予約情報特定手段は、隣接局から受信した報知信号に記載されている各帯域を予約した通信局に関するシーケンスの一部を、当該帯域を予約した通信局に固有の情報から設定されるシーケンスと比較し、異なる通信局により同じ帯域が重複して予約されているか否かを判断する、
ことを特徴とする請求項１３に記載の無線通信装置。
【請求項１６】
前記報知信号生成手段は、通信局に固有の情報としてのアドレス情報に基づいて所定ビット長のシーケンス列を生成し、シーケンス値を先頭から１ビットずつ取り出し、そのビット値をビット位置に関する情報とともに順番に報知信号に載せ、
前記近隣局予約情報特定手段は、通信局固有の情報から同様の手順でシーケンス値を生成し、順次受信する各報知信号で示されているビット位置のビット値と１ビットずつ比較していくことで、帯域を予約利用している通信局が一致しているかどうかを判定する、
ことを特徴とする請求項１３に記載の無線通信装置。
【請求項１７】
前記通信制御手段は、隣接局から受信した報知信号に基づいて予約帯域の重複を検出したとき、重複して帯域予約した各通信局の所定の優劣判定を行ない、劣ると判定された方の通信局の予約帯域の変更を行なう、
ことを特徴とする請求項１３に記載の無線通信装置。
【請求項１８】
前記通信制御手段は、優劣判定の対象となる各通信局に関するシーケンスの一部の値の比較に基づいて優劣判定を行なう、
ことを特徴とする請求項１７に記載の無線通信装置。
【請求項１９】
不特定の通信局が参入する通信環境下で通信動作するための無線通信方法であって、
自局に固有の情報から設定されるシーケンスの一部を含んだ報知信号を生成し、所定の周期で送信する報知信号送信ステップと、
他局から受信した報知信号に含まれるシーケンスの一部を自局又は自局が認識する周辺局に固有の情報から設定されるシーケンスと比較し、自局又は自局が認識する周辺局を当該隣接局が認識しているか否かを判断する信号衝突検出ステップと、
隣接局が自局又は自局の認識局を認識していないと判断された場合に、自局又は自局の認識局における報知信号の送信タイミングを変更する衝突回避ステップと、
を具備することを特徴とする無線通信方法。
【請求項２０】
不特定の通信局が参入する通信環境下で、帯域予約を利用した通信動作を行なうための無線通信方法であって、
自局が予約する帯域の情報と、自局に固有の情報から設定されるシーケンスの一部を含んだ報知信号を生成し、所定の周期で送信する報知信号送信ステップと、
他局から受信した報知信号に含まれるシーケンスの一部に基づいて該報知信号の送信局において予約した帯域を認識することにより、自局及び周辺局の帯域の予約状況を収集し、各帯域を予約した通信局に関するシーケンスの一部を、当該帯域を予約した通信局に固有の情報から設定されるシーケンスと比較し、異なる通信局により同じ帯域が重複して予約されているか否かを判断する予約重複検出ステップと、
予約帯域の重複を検出したときに、通信局の予約帯域の変更を行なう重複回避ステップと、
を具備することを特徴とする無線通信方法。
【請求項２１】
不特定の通信局が参入する通信環境下で通信動作するための処理をコンピュータ上で実行するようにコンピュータ可読形式で記述されたコンピュータ・プログラムであって、前記コンピュータを、
自局に固有の情報から設定されるシーケンスの一部を含んだ報知信号を生成し、所定の周期で送信する報知信号送信手段と、
他局から受信した報知信号に含まれるシーケンスの一部を自局又は自局が認識する周辺局に固有の情報から設定されるシーケンスと比較し、自局又は自局が認識する周辺局を当該隣接局が認識しているか否かを判断する信号衝突検出手段と、
隣接局が自局又は自局の認識局を認識していないと判断された場合に、自局又は自局の認識局における報知信号の送信タイミングを変更する衝突回避手段と、
として機能させることを特徴とするコンピュータ・プログラム。
【請求項２２】
不特定の通信局が参入する通信環境下で、帯域予約を利用した通信動作を行なうための処理をコンピュータ上で実行するようにコンピュータ可読形式で記述されたコンピュータ・プログラムであって、前記コンピュータを、
自局が予約する帯域の情報と、自局に固有の情報から設定されるシーケンスの一部を含んだ報知信号を生成し、所定の周期で送信する報知信号送信手段と、
他局から受信した報知信号に含まれるシーケンスの一部に基づいて該報知信号の送信局において予約した帯域を認識することにより、自局及び周辺局の帯域の予約状況を収集し、各帯域を予約した通信局に関するシーケンスの一部を、当該帯域を予約した通信局に固有の情報から設定されるシーケンスと比較し、異なる通信局により同じ帯域が重複して予約されているか否かを判断する予約重複検出手段と、
予約帯域の重複を検出したときに、通信局の予約帯域の変更を行なう重複回避手段と、
として機能させることを特徴とするコンピュータ・プログラム。
【手続補正２】
【補正対象書類名】明細書
【補正対象項目名】０１９０
【補正方法】変更
【補正の内容】
【０１９０】
同図に示す例では、ビーコン信号は、当該信号ビーコン・フレームであることを示すフレーム・タイプ（Ｆｒａｍｅ Ｔｙｐｅ）フィールドと、このフレームの情報量を示す情報長（Ｌｅｎｇｔｈ）フィールドと、このビーコン信号の受信先通信装置及び送信元通信装置をそれぞれＭＡＣアドレスにより特定するためのＲｘアドレス及びＴｘアドレス・フィールドと、当該ヘッダ部分の誤り検出を行なうためのＨＣＳ（ヘッダ・チェック・シーケンス）フィールドと、さらにビーコン・ペイロードとして、この通信装置が含まれるネットワーク・グループを識別するためのグループ識別情報（ＧｒｏｕｐＩＤ）フィールドと、自局のスーパーフレーム内におけるスロットの利用状況を報知するためのスロット構造（Ｓｌｏｔ Ｓｔｒｕｃｔｕｒｅ）フィールドと、このビーコン信号が送信されたスーパーフレームのカウント値を示すフレーム・カウンタ（ＦｒａｍｅＣｏｕｎｔｅｒ）フィールドと、この通信装置の動作能力を示すケイパビリティ（Ｃａｐａｂｉｌｉｔｙフィールド）と、この通信装置の属性を示す属性（Ａｔｔｒｉｂｕｔｅ）フィールドと、当該ビーコン・フレーム全体の誤り検出を行なうためのＦＣＳ（フレーム・チェック・シーケンス）フィールドなどで構成される。
【手続補正３】
【補正対象書類名】明細書
【補正対象項目名】０２２０
【補正方法】変更
【補正の内容】
【０２２０】
同図に示す例では、通信装置＃８と＃７が同じネットワーク・グループを形成しているとする。そして、通信装置＃１と通信装置＃７が同じスロットのタイミングを予約設定しているという状況下で、双方の信号を受信できる通信装置＃８が予約の衝突を検出したときに、自己のネットワーク・グループに属する通信装置＃７に対して、予約の重複を通知し、通信装置＃７においてスロットの予約の位置を移動させるまでの手順を示している。